(57)【要約】【課題】排気通路に連通可能な蓄圧容器を備えたターボチャージャ付き内燃機関で、積極的に動力を発生しているときでも、排気を蓄圧容器へ適切に回収する。【解決手段】本発明のターボチャージャ４６付き内燃機関１０は、タービン３８上流側の排気通路Ｊに連通可能な蓄圧容器６４と、タービン３８のタービンホイール３６への排気の流れを制御する排気流制御手段５４と、内燃機関１０の気筒１４への吸気の流れを制御する吸気流制御手段２６であって、蓄圧容器６４内に排気回収を行うとき、該排気回収を行わないときに比べて吸気を絞る吸気流制御手段２６とを備えることを特徴とする。そして、排気流制御手段５４は、蓄圧容器６４内に排気回収を行うとき、排気回収を行わないときに比べてタービン３８の回転速度が上昇するように働く。【選択図】図１
2010043579.tif 000002
【特許請求の範囲】
【請求項１】
排気通路に設けられたタービンと該タービンに連結されて吸気通路に設けられたコンプレッサとを含むターボチャージャ付き内燃機関において、
前記タービン上流側の排気通路に連通可能な蓄圧容器と、
前記タービンのタービンホイールへの排気の流れを制御する排気流制御手段と、
前記内燃機関の気筒への吸気の流れを制御する吸気流制御手段であって、前記蓄圧容器内に排気回収を行うとき、該排気回収を行わないときに比べて吸気を絞る、吸気流制御手段と
を備えることを特徴とするターボチャージャ付き内燃機関。
【請求項２】
前記排気流制御手段は、前記蓄圧容器内に排気回収を行うとき、該排気回収を行わないときに比べて前記タービンの回転速度が高くなるように働くことを特徴とする請求項１に記載のターボチャージャ付き内燃機関。
【請求項３】
前記吸気流制御手段は、吸気絞り弁およびスワールコントロール弁のうちのいずれか一方の弁と、該いずれか一方の弁を制御する弁制御手段とを備え、
該弁制御手段は、前記蓄圧容器内に排気回収を行うとき、該排気回収を行わないときの開度に比べてより閉じ側の開度へ、前記いずれか一方の弁の開度を制御することを特徴とする請求項１または２に記載のターボチャージャ付き内燃機関。
【請求項４】
前記吸気流制御手段は、吸気弁の弁タイミングおよびリフト量の少なくとも一方を可変とする可変動弁機構を備え、
該可変動弁機構は、前記蓄圧容器内に排気回収を行うとき、該排気回収を行わないときの吸気効率よりも吸気効率が低くなるように、前記吸気弁の弁タイミングおよびリフト量の少なくとも一方を変えることを特徴とする請求項１から３のいずれかに記載のターボチャージャ付き内燃機関。
【発明の詳細な説明】
【技術分野】
【０００１】
本発明は、ターボチャージャ付き内燃機関に係り、特に、蓄圧容器に排気を回収可能に構成されたターボチャージャ付き内燃機関に関する。
【背景技術】
【０００２】
特許文献１は、内燃機関の排気通路の圧力を高めて、その高められた圧力を有する排気を蓄圧容器（蓄圧タンク）に回収する回収装置を開示する。この回収装置では、減速時燃料カットを行っているときに、排気通路に設けた排気絞り弁が閉じられることで、この排気絞り弁上流側の排気通路の圧力が高められる。そして、こうして高められた圧力すなわち圧力エネルギーを有する排気は、排気絞り弁上流側の排気通路と蓄圧容器内との連通により蓄圧容器内に回収される。
【０００３】
他方、内燃機関に過給機を搭載することが既に知られている。その過給機の中には、排気によってタービンのタービンホイールを回転駆動させ、そのタービンホイールの回転によってコンプレッサのコンプレッサホイールを回転させ、内燃機関に過給するターボチャージャがある。ターボチャージャの中にも種々のタイプのものがあり、その中には例えばタービンホイールを迂回するバイパス通路にウエストゲート弁が設けられたタイプのものがある。このタイプのターボチャージャ付き内燃機関では、例えば、ターボチャージャのコンプレッサ下流側の吸気通路の圧力が所定圧力よりも高くなったときに、ターボチャージャの作動を適切に確保するべく、ウエストゲート弁が開弁されて、タービン下流側の排気通路に余剰の排気が逃がされる（棄てられる）。
【０００４】
【特許文献１】特開２００７−１３８８１２号公報
【発明の開示】
【発明が解決しようとする課題】
【０００５】
ところで、近年、省エネルギーを図ることが、自動車技術分野を含む種々の分野で試みられている。このような背景のもと、例えば上記のようにウエストゲート弁の開弁によってターボチャージャのタービンの作動に用いられずにあたかも棄てられる排気を、種々の機器の作動あるいは作動補助等に利用することが期待される。
【０００６】
そのような棄てられる排気を種々の機器の作動等に利用するためには、１つには、上記特許文献１に記載の装置のように、そのような排気を排気通路に連通可能な蓄圧容器に一旦回収することが望まれる。しかしながら、上記の如く内燃機関で積極的に動力を発生しているときに、排気絞り弁を閉弁して排気を蓄圧容器内に回収しようとすると、内燃機関の吸入空気量の変化を予想し難くなる、または、ポンピングロスの変化を予想し難くなるといった問題がある。この結果、内燃機関のトルク変動が生じ、ドライバビリティが悪化する可能性がある。
【０００７】
そこで、本発明はかかる点に鑑みて創案されたものであり、その目的は、排気通路に連通可能な蓄圧容器を備えたターボチャージャ付き内燃機関で、積極的に動力を発生しているときでも、排気を蓄圧容器へ適切に回収することにある。なお、内燃機関で積極的に動力を発生しているときとは、具体的には、混合気の燃焼圧でピストンの往復移動を生じさせているときである。
【課題を解決するための手段】
【０００８】
上記目的を達成するために、本発明のターボチャージャ付き内燃機関は、排気通路に設けられたタービンと該タービンに連結されて吸気通路に設けられたコンプレッサとを含むターボチャージャ付き内燃機関において、前記タービン上流側の排気通路に連通可能な蓄圧容器と、前記タービンのタービンホイールへの排気の流れを制御する排気流制御手段と、前記内燃機関の気筒への吸気の流れを制御する吸気流制御手段であって、前記蓄圧容器内に排気回収を行うとき、該排気回収を行わないときに比べて吸気を絞る、吸気流制御手段とを備えることを特徴とする。
【０００９】
そして、前記排気流制御手段は、前記蓄圧容器内に排気回収を行うとき、該排気回収を行わないときに比べて前記タービンの回転速度が高くなるように働くとよい。
【００１０】
また、前記吸気流制御手段は、吸気絞り弁およびスワールコントロール弁のうちのいずれか一方の弁と、該いずれか一方の弁を制御する弁制御手段とを備え、該弁制御手段は、前記蓄圧容器内に排気回収を行うとき、該排気回収を行わないときの開度に比べてより閉じ側の開度へ、前記いずれか一方の弁の開度を制御するとよい。
【００１１】
これに加えてあるいはこれにかえて、前記吸気流制御手段は、吸気弁の弁タイミングおよびリフト量の少なくとも一方を可変とする可変動弁機構を備え、該可変動弁機構は、前記蓄圧容器内に排気回収を行うとき、該排気回収を行わないときの吸気効率よりも吸気効率が低くなるように、前記吸気弁の弁タイミングおよびリフト量の少なくとも一方を変えるとよい。
【発明を実施するための最良の形態】
【００１２】
本発明は、ターボチャージャ付き内燃機関における、タービンのタービンホイールへの排気の流れを制御する排気流制御手段と内燃機関の気筒への吸気の流れを制御する吸気流制御手段との働きあるいは作動により、蓄圧容器内に排気回収を行うことを可能にする構成を有する。かかる構成により、本発明は、排気通路に連通可能な蓄圧容器を備えたターボチャージャ付き内燃機関で、積極的に動力を発生しているときでも、排気を蓄圧容器へ適切に回収することを可能にする。
【００１３】
具体的には、本発明は、ターボチャージャ付き内燃機関において、従来、機関出力を調整するべくタービンの回転速度を下げるように例えばウエストゲート弁を開けたりあるいはターボチャージャのタービンの可変ノズルベーンの開度（ＶＮ開度）を開き側にしたりしていたときに、蓄圧容器内に排気回収を行うことを可能にする構成を有する。そのようなときに、排気回収をする場合、タービン上流側の排気通路の圧力を上げるようにウエストゲート弁を閉じたりあるいはＶＮ開度を絞ったりして、タービンの回転速度を上昇させ、過給圧を過度に上昇させるようにする。しかし、実際に、過給圧が過度に上昇したのでは機関出力が運転者の望まない大きさになってしまうので、これを回避するべく、スロットル弁やスワールコントロール弁等を通常時に比べて閉じ側に制御することなどで、気筒内への吸気の流入量を制限し、機関出力を調節する。
【００１４】
本発明の好適な実施形態を添付図面に基づいて詳細に説明する。まず、第１実施形態を説明する。第１実施形態が適用された車両の内燃機関システム１０の概略構成を図１に示す。内燃機関１０は、燃料である軽油を燃料噴射弁１２から圧縮状態にある燃焼室内に直接噴射することにより自然着火させる型式の内燃機関、すなわちディーゼル機関である。
【００１５】
気筒１４の燃焼室に臨むと共に吸気通路１６の一部を区画形成する吸気ポートは、シリンダヘッドに形成されていて、吸気弁によって開閉される。シリンダヘッドには、吸気通路１６の一部を区画形成する吸気マニホールド１８が接続され、さらにその上流側には同じく吸気通路１６の一部を区画形成する吸気管２０が接続されている。吸気管２０の上流端側には、吸気通路１６に導かれる空気中の塵埃などを除去するべくエアクリーナ２２が設けられている。また、スロットルアクチュエータ２４によって開度が調整されるスロットル弁２６が、吸気通路１６の途中に設けられている。
【００１６】
他方、気筒１４の燃焼室に臨むと共に排気通路２８の一部を区画形成する排気ポートは、シリンダヘッドに形成されていて、排気弁によって開閉される。シリンダヘッドには、排気通路２８の一部を区画形成する排気マニホールド３０が接続され、さらにその下流側には同じく排気通路２８の一部を区画形成する排気管３２が接続されている。なお、排気浄化触媒が充填された触媒コンバータ３４が排気通路２８の途中に設けられている。  
【００１７】
上記吸気弁および上記排気弁の駆動機構である動弁機構は、図示しないが、吸気弁および排気弁を、コンロッドを介してピストンが連結されているクランクシャフトの回転に同期して、個別に任意の開度およびタイミングで制御することが可能な可変動弁機構である。それ故、この動弁機構は、吸排気弁の各々の弁タイミングおよびリフト量の少なくとも一方を可変とすることができる。具体的には、動弁機構は、吸気弁と排気弁とにそれぞれ個別に設けられたソレノイドを含んでいる。そして、動弁機構は、吸気弁と排気弁とが同時に開くバルブオーバーラップを実現可能である。なお、このような構成に代えて、動弁機構として、例えば単一の弁に適用される複数種類のカムを油圧によって切り替えることによって弁タイミングおよびカムプロフィールを任意に変更できる可変弁タイミング機構（VVT; Variable Valve Timing mechanism）を用いることもできる。
【００１８】
さらに、排気により回転駆動されるタービンホイール３６を含むタービン３８が排気通路２８に設けられている。これに対応して、タービン３８のタービンホイール３６に回転軸４０を介して同軸で連結され、タービンホイール３６の回転力で回転するようにしたコンプレッサホイール４２を含むコンプレッサ４４が吸気通路１６に設けられている。すなわち、内燃機関１０は、排気エネルギーを取り出すタービン３８と、タービン３８に連結されてタービン３８により取り出された排気エネルギーによって内燃機関１０に過給するコンプレッサ４４とを有するターボチャージャ４６が設けられている、ターボチャージャ４６付き内燃機関である。そして、コンプレッサ４４により圧縮された空気を冷却すべく、インタークーラ４８がコンプレッサ４４下流側に設けられている。
【００１９】
このターボチャージャ４６は、タービン３８に複数の可変ノズルベーン（ＶＮ；ベーン）５０を配設した可変ノズルターボチャージャである。すなわちタービンホイール３６の周りであるタービン３８の排気入口部には、タービンホイール３６を取り巻くように、複数のベーン５０が配設されている。複数のベーン５０を駆動するためのベーン駆動機構として、ロッド５２、駆動リング５４、アクチュエータ５６などが備えられている。複数のベーン５０の角度は、ロッド５２および駆動リング５４を介してアクチュエータ５６により一斉に調節される。複数のベーン５０の角度により定められる流路の開度（ＶＮ開度）が閉側になるように、それらベーン５０の角度を閉じ側に調整することで、複数のベーン５０上流側の圧力は高くなり、タービンホイール３６に導入される排気の流速は速くなる。他方、そのＶＮ開度が開側になるようにベーン５０の角度を開き側に調整することで、複数のベーン５０の上流側の圧力は低くなり、タービンホイール３６に導入される排気の流速は遅くなる。すなわち、複数のベーン５０の角度が可変である（ＶＮ開度が可変である）ので、タービン３８内部に形成される流路の有効面積が可変する。
【００２０】
ここでは、複数のベーン５０駆動用作動軸であるロッド５２を駆動するアクチュエータ５６が、負圧式アクチュエータとされている。アクチュエータ５６によりロッド５２が駆動されると、駆動リング５４が回転軸４０を中心に所定角度だけ回転され、この駆動リング５４の回転に基づいて複数のベーン５０が全て一律に同じ角度になるように動かされる。このようなロッド５２および駆動リング５４を含む各部材によるリンク機構に介しては種々の機構が周知であり、ここでの説明は省略される。また、アクチュエータ５６は、大気室と、負圧源から負圧を導入可能な負圧室と、該負圧室への負圧導入量を調整するための負圧導入弁と、気密に上記負圧室や上記大気室を隔成させてロッド５２に連結されたダイヤフラムと、このダイヤフラムを負圧室から大気圧室に向けて押圧する付勢力を発するスプリングとを有して構成される既知のアクチュエータである。なお、アクチュエータ５６の負圧室に導入される負圧に応じて、そのダイヤフラムが変位する。そして、作動軸であるロッド５２はその変位に伴って、複数のベーン５０を一斉に双方向に駆動することができる。
【００２１】
排気通路２８の内、タービン３８上流側の排気通路Ｊには、管部材６０により区画形成された管路６２が連通され、その管路６２により排気通路Ｊと蓄圧容器６４内とは連通可能にされている。なお、蓄圧容器６４は、排気通路Ｊであればいずれの場所、例えば排気マニホールド３０に直接的に連通可能にされてもよい。管路６２の径は排気通路２８の径に比べて小さい。蓄圧容器６４内と排気通路Ｊとの連通状態の調節用に、管路６２に流量調節弁６６が設けられている。なお、流量調節弁６６が開弁することで蓄圧容器６４内と排気通路２８とは連通し、他方、流量調節弁６６が閉弁することで蓄圧容器６４内と排気通路２８との連通は遮断され、蓄圧容器６４内は概略的に密閉状態になる。ただし、流量調節弁６６はアクチュエータ６８により駆動される。なお、ここでは流量調節弁６６はポペット式弁である。
【００２２】
さらに、排気通路２８には、排気絞り弁７０が設けられている。排気絞り弁７０は、ここではタービン３８下流側かつ触媒コンバータ３４上流側の排気通路に設けられているが、排気通路２８の他の箇所に設けられてもよい。ただし、本第１実施形態のように、排気絞り弁７０上流側の排気通路に蓄圧容器６４内が連通可能にされる。ここでは排気絞り弁７０はバタフライ式弁であり、アクチュエータ７２により駆動される。排気絞り弁７０は、その閉弁時には排気通路２８を流れる排気すなわち既燃ガス（燃焼ガスを含む。）や空気である流体を効果的にせき止め、そのような流体の排気絞り弁７０下流側への流れを概ね遮断する遮断弁として機能する。なお、排気絞り弁７０は、他の構成を有する弁であってもよく、例えば閉弁時に、その箇所を完全に閉塞するような構成を有する弁であってもよい。
【００２３】
なお、後述するように排気通路２８の圧力（圧力エネルギー）すなわちその圧力を有する排気は、管路６２を介して排気の移動を伴いつつ排気通路２８から蓄圧容器６４内に回収される。他方、蓄圧容器６４内に蓄えられた圧力すなわち排気は、管路６２を介して、蓄圧容器６４内から排気通路２８に放出されて利用に供される。すなわち、本第１実施形態では、蓄圧容器６４内への排気回収およびそこからの排気放出は、同じ管路６２を介して行われる。
【００２４】
そして、ここでは、蓄圧容器６４内に回収された排気は、加速要求があったときに、特に加速初期に管路６２を介して排気通路Ｊへ放出される。放出された排気すなわち圧力はタービンホイール３６の回転駆動に用いられる。これにより、ターボチャージャ４６の応答性向上、換言すると過渡性能向上が図られる。ただし、蓄圧容器６４内の排気をこのようにターボチャージャ４６の作動補助に用いる場合、蓄圧容器６４内の排気は、排気通路Ｊ以外の排気通路を含む、タービンホイール３６上流側の排気通路Ｋに供給されるとよい。
【００２５】
内燃機関１０は、電子制御ユニット（ＥＣＵ）８０に、各種値を求める（検出あるいは推定）するための信号を電気的に出力する各種センサ類を備えている。ここで、その内のいくつかを具体的に述べる。吸入空気量を検出するためのエアフローメーター８２が吸気通路１６に備えられている。また、エアフローメーター８２近傍に吸入空気（吸気）の温度を検出するための吸気温度センサ８４が、そしてインタークーラ４８下流側にも温度を検出するための吸気温度センサ８６が備えられている。また、吸気圧すなわち過給圧を検出するための圧力センサ８８が設けられている。また運転者によって操作されるアクセルペダル９０の踏み込み量に対応する位置、すなわちアクセル開度を検出するためのアクセル開度センサ９２が備えられている。また、スロットル弁２６の開度を検出するためのスロットルポジションセンサ９４も備えられている。また、ピストンが往復動する、シリンダブロック（あるいはその近傍）には、コンロッドを介してピストンが連結されているクランクシャフトのクランク回転信号を検出するためのクランクポジションセンサ９６が取り付けられている。ここでは、このクランクポジションセンサ９６は機関回転速度（機関回転数）を検出するための機関回転速度センサとしても利用される。さらに、排気通路Ｊの圧力を検出するための圧力センサ９８が備えられている。また、蓄圧容器６４内の圧力を検出するための圧力センサ１００も備えられている。さらに、内燃機関１０の冷却水温を検出するための温度センサ１０２が備えられている。さらに、車速を検出するための車速センサ１０４も備えられている。
【００２６】
ＥＣＵ８０は、ＣＰＵ、ＲＯＭ、ＲＡＭ、Ａ／Ｄ変換器、入力インタフェース、出力インタフェース等を含むマイクロコンピュータで構成されている。入力インタフェースには、前記各種センサ類が電気的に接続されている。これら各種センサ類からの出力信号（検出信号）に基づき、予め設定されたプログラムにしたがって円滑な内燃機関１０の運転ないし作動がなされるように、ＥＣＵ８０は出力インタフェースから電気的に作動信号（駆動信号）を出力する。こうして、吸排気弁の弁タイミングやリフト量、燃料噴射弁１２の作動、スロットル弁２６、流量調節弁６６、排気絞り弁７０の各開度、ベーン５０の角度などが制御される。ただし、ＥＣＵ８０は、スロットル弁２６、流量調節弁６６、排気絞り弁７０の各開度やベーン５０の角度を制御するため、各アクチュエータ２４、６８、７２、５６に作動信号を出力する。
【００２７】
なお、本第１実施形態では、吸気流制御手段は、スロットル弁２６と、アクチュエータ２４およびＥＣＵ８０の一部を含むスロットル弁制御手段とを含んで構成される。また、排気流制御手段は、複数のベーン５０と、これらベーン５０の角度を変更可能にするようにアクチュエータ５６およびＥＣＵ８０の一部を含むベーン駆動機構とを含んで構成される。また、要求負荷判定手段は、ＥＣＵ８０の一部を含んで構成される。
【００２８】
内燃機関１０では、エアフローメーター８２からの出力信号に基づいて求められる吸入空気量、クランクポジションセンサ９６からの出力信号に基づいて求められる機関回転速度など、すなわち機関負荷および機関回転速度で表される機関運転状態に基づいて、通常
は、燃料噴射量（燃料量）等が設定される。そして、それら燃料噴射量等に基づいて、燃料噴射弁１２からの燃料の噴射が行われる。
【００２９】
ただし、内燃機関１０では、クランクポジションセンサ９６からの出力信号に基づいて求められる機関回転速度が所定回転速度（燃料カット回転速度）以上であり、かつ、アクセル開度センサ９２からの出力信号に基づいて求められるアクセル開度が０％、すなわちアクセルペダル９０が踏まれていないときに、燃料噴射弁１２からの燃料噴射が停止（燃料カット）されるように設定されている。すなわち、車両の走行中に機関回転速度が予め設定された所定回転速度領域にありかつアクセル開度全閉状態にあるときに、燃料カットが行われる。ただし、このような燃料カット状態が続いて、機関回転速度が低下して別の所定回転速度（燃料カット復帰回転速度）に達すると、燃料噴射は再開される。また、上記の条件を満たすが故に内燃機関１０が燃料カット状態にあるときに、アクセルペダル９０が踏まれてアクセル開度が開き側に大きくなって０％を超えるようになった場合にも、燃料噴射は再開される。なお、内燃機関１０が燃料カット状態にあるときは、概ね減速時に対応する。
【００３０】
また、スロットル弁２６は内燃機関１０の始動時は全開に制御され、他方、内燃機関１０の停止時は全閉に制御される。そして、通常走行時には、機関回転速度、過給圧、機関負荷および／または吸入空気量等により定められ得る機関状態および冷却水温などに応じて、スロットル弁２６の開度は適切な開度になるように制御される。
【００３１】
さらに、複数のベーン５０の角度すなわちＶＮ開度は、機関運転状態に基づいて制御さ
れる。例えば、機関運転状態に応じて設定される、制御上目標とされる過給圧（目標過給圧）に、スロットル弁２６下流側の吸気通路に設けられた圧力センサ８８からの出力信号に基づいて求められる過給圧が一致するように、複数のベーン５０の角度は制御される。あるいは、機関運転状態に応じて設定される、制御上目標とされる吸入空気量（目標吸入空気量）に、エアフローメーター８２からの出力信号に基づいて求められる吸入空気量が一致するように、複数のベーン５０の角度は制御される。ここでは、機関運転状態が属する運転領域が高負荷高回転側にあるほど、それが低負荷低回転側にあるときに比べて流路を拡げるように、ＶＮ開度は大きくされる。ただし、アクセルペダル９０が踏まれて車両が加速される過渡期には、ＶＮ開度を一旦小さくして排気の流速を速くしてタービンホイール３６の回転速度を上昇させるように、機関運転状態に基づいて求められたＶＮ開度は補正される。ここでは、車両が加速される過渡期には、ＶＮ開度が一旦全閉になるように、複数のベーン５０の角度は制御される。なお、ＶＮ開度が全閉であるときの複数のベーン５０により定められる流路面積は、完全に閉鎖されずに最大に開いたときの流路面積の例えば数％である。
【００３２】
ところで、通常走行時、排気絞り弁７０は全開の開状態に保持制御されているので、排気通路２８を流れる排気は全て触媒コンバータ３４を通過して外気に放出される。これに対して、排気回収の第１所定条件が満たされたとき、排気絞り弁７０は閉状態になるように制御され、排気通路２８を流れる排気は概ねせき止められる。そして、このようにしてせき止めた排気を有効に活用して排気回収（圧力エネルギー回収）すなわち蓄圧容器６４へのガス充填が行われる。
【００３３】
以下、排気回収について、図２のフローチャートにしたがって詳細に説明する。ただし、図２のフローチャートは、所定時間毎に、例えばおよそ８ｍｓ毎に繰り返されるものである。なお、以下の記載から明らかになるように、図２のフローチャートにしたがって蓄圧容器７８内に回収される排気は主に空気から構成される。
【００３４】
ただし、以下で図２に基づいて説明される制御は、燃料カット中に、排気通路２８の排気絞り弁７０を閉じて、排気絞り弁７０上流側の排気通路の圧力が蓄圧容器６４内の圧力以上になったときに、流量調節弁６６を介して、蓄圧容器６４内へ排気すなわちこの排気の有する圧力エネルギーを回収することを具体化した例である。
【００３５】
内燃機関１０が起動されると、まずＥＣＵ８０は、ステップＳ２０１において、回収フラグが「１」、すなわちＯＮであるか否かを判定する。ここで、回収フラグが「１」ということは、排気回収の第１所定条件が満たされていることを表す。これに対してそれが「０」ということは、排気回収の第１所定条件が満たされていないことを表す。初期状態では同回収フラグはリセットされているためここでは否定判定される。なお、本第１実施形態において、排気回収の第１所定条件が満たされるとは、以下の記載から明らかなように、内燃機関１０が燃料カット状態であること（燃料カット中であること）、蓄圧容器６４内の圧力が所定圧以下であることの２つの要件が満たされることである。
【００３６】
ステップＳ２０１で否定判定されると、次ぐステップＳ２０３で、燃料カット中か否かが判定される。ここでは、具体的には、燃料カット中か否かは、燃料噴射量が「０」とされているか否かで判定される。ただし、例えば上記した燃料カット実行条件が満たされているか否かの判定で代替されてもよい。なお、通常走行時には、概して、内燃機関１０により所定出力を生み出すべく、「０」より大きな燃料噴射量が上述の如く導かれて燃料噴射が行われている。それ故、そのようなときには、ステップＳ２０３において否定判定される。
【００３７】
上記ステップＳ２０３で燃料カット中として肯定判定されると、次ぐステップＳ２０５で、蓄圧容器６４内の圧力（図２では容器内圧）が、蓄圧容器６４に許容される圧力であって、所定圧である予め決められてＲＯＭに記憶されている上限圧以下か否かが判定される。これは１つには、蓄圧容器６４内に十分な量の圧力すなわち排気が蓄えられているときに、さらに排気回収が行われることを防ぐためである。蓄圧容器６４内の圧力は圧力センサ１００からの出力信号に基づいて求められる。ただし、ここでは、上限圧として、ゲージ圧で４００ｋＰａという値が設定されているが、他の圧力値が用いられてもよい。
【００３８】
そして、ステップＳ２０５で肯定判定されると、排気回収の第１条件が満たされているとして、ステップＳ２０７で回収フラグが「１」にされる。これにより、上記通常時の制御よりも、排気回収用の制御が優先して行われるようになる。
【００３９】
次ぐステップＳ２０９では、スロットル弁２６が通常走行時の開度（通常開度）ではなく排気回収用の開度（回収開度）になるように、ここでは全開にまで開くようにアクチュエータ２４へ作動信号が出力される。また、流量調節弁６６が閉弁するようにアクチュエータ６８へ作動信号が出力される。さらに、排気絞り弁７０が閉弁するようにアクチュエータ７２へ作動信号が出力される。こうして、該ルーチンは終了する。
【００４０】
ステップＳ２０７で回収フラグが「１」にされた後のルーチンのステップＳ２０１では、回収フラグが「１」であるので肯定判定される。ステップＳ２０１で肯定判定されると、次ぐステップＳ２１１で、上記ステップＳ２０３と同様に燃料カット中か否かが判定される。ここで肯定判定されると次ぐステップＳ２１３で、上記ステップＳ２０５と同様に蓄圧容器６４内の圧力が上記上限圧以下か否かが判定される。なお、ステップＳ２１１、Ｓ２１３での判定が行われるのは、ステップＳ２０７で回収フラグが「１」にされた後、排気回収の第１所定条件が満たされなくなったときに、排気回収を終了するための制御をするためである。
【００４１】
さてステップＳ２１３で肯定判定されると次ぐステップＳ２１５で、蓄圧容器６４内の圧力が、排気絞り弁７０上流側の排気通路の圧力（図２中の「背圧」）以下か否かが判定される。このとき既に、排気絞り弁７０が閉弁制御されているので、時間の経過につれて、排気絞り弁７０によってせき止められた排気の圧力（圧力エネルギー）は高くなる。そして、その圧力が排気回収が可能な程度にまで高まっているのかを調べるために、ステップＳ２１５での判定が行われる。ステップＳ２１５で否定判定される場合には次ぐステップＳ２１７で、流量調節弁６６が閉弁するようにアクチュエータ６８に作動信号が出力される。これは、既に流量調節弁６６が閉じられている場合には、流量調節弁６６がそのまま閉弁状態に維持されることを意味している。他方、ステップＳ２１５で肯定判定される場合には次ぐステップＳ２１９で、流量調節弁６６が開弁するようにアクチュエータ６８に作動信号が出力される（開弁制御される）。これにより、排気絞り弁７０上流側の排気通路の高められた圧力を有する排気は、連通路６２を介して、蓄圧容器６４内に回収されるようになる。この排気回収は、上記ステップＳ２１１あるいはステップＳ２１３で否定判定されない限りは概ね続けて行われる。
【００４２】
排気回収中に、ステップＳ２１１あるいはステップＳ２１３のいずれかで否定判定されると、排気回収を終了するための制御が行われる。それらのいずれかで否定判定されると次ぐステップＳ２２１で、スロットル弁２６が通常開度になるように制御されるようになる。また、流量調節弁６６が閉弁するように、アクチュエータ６８へ作動信号が出力される。さらに、排気絞り弁７０が開弁するようにアクチュエータ７２へ作動信号が出力される。そして、次ぐステップＳ２２３で回収フラグが「０」にされて、該ルーチンは終了する。この結果、内燃機関１０は排気回収を行わない通常の制御状態に復帰される。
【００４３】
ところで、一般的なターボチャージャにおいて、機関回転速度が低回転域に属するときには、排気の流量が少ないためにターボチャージャの回転速度が低いので、そのときにアクセルペダル９０が踏まれると、アクセルペダル９０が踏み込まれてから吸入空気の過給効果が現れるまでに時間的な遅れすなわちタイムラグが生じる。そこで、アクセルペダル９０が踏み込まれて車両が加速される過渡期に、速やかに過給圧を高めるべく、ターボチャージャ４６の作動アシストが行われる。このターボチャージャ４６の作動アシストに関して図３のフローチャートにしたがって詳細に説明する。ただし、図３のフローチャートは、所定時間毎、例えばおよそ８ｍｓ毎に繰り返されるものである。
【００４４】
ただし、以下で図３に基づいて説明される制御は、加速要求があったとき、タービン回転速度の上昇率を上げてターボチャージャ４６の応答性向上を図るべく、タービン３８のタービンホイール３６へ向けて蓄圧容器６４内から排気を供給することを具体化した例である。
【００４５】
まず、ＥＣＵ８０は、ステップＳ３０１において、上記回収フラグが「０」、すなわちＯＦＦであるか否かを判定する。初期状態では同フラグはリセットされているためここでは肯定判定される。なお、ステップＳ３０１で否定判定されると、当該ルーチンは終了する。
【００４６】
ステップＳ３０１で肯定判定されると、次ぐステップＳ３０３では、アシストフラグが「１」、すなわちＯＮであるか否かが判定される。ここで、アシストフラグが「１」であるということは、ターボチャージャ４６の作動アシスト条件が満たされていることを表し、これに対してそれが「０」であるということは、そのターボチャージャ４６の作動アシスト条件が満たされていないことを表す。初期状態では同アシストフラグはリセットされているためここでは否定判定される。
【００４７】
ステップＳ３０３で否定判定されると、次ぐステップＳ３０５では、機関回転速度が所定回転速度以下か否かが判定される。機関回転速度が所定回転速度より高いときには、ターボチャージャ４６の作動に関してアシストの必要がないので、機関回転速度が上記所定回転速度を越えているときにはステップＳ３０５で否定判定されて、当該ルーチンは終了する。他方、ステップＳ３０５で機関回転速度が所定回転速度以下であるとして肯定判定されると、ステップＳ３０７へ進む。例えば、ステップＳ３０５の判定での所定回転速度は３０００ｒｐｍである。
【００４８】
ステップＳ３０７では、加速か否かすなわち加速要求の有無が判定される。この判定は、要求負荷判定手段での内燃機関１０への要求負荷が増加したか否かの判定に含まれる。加速か否かの判定は、加速開始時期を求めることに等しく、アクセル開度に基づいて行われる。アクセル開度が所定値以上であり、かつ、アクセル開度が大きくなる方へ変化したときであって単位所定時間におけるその変化量すなわちその開き速度（アクセル開度開き速度）が所定速度を超えたときに、ＥＣＵ８０は加速、すなわち加速要求有りと判断する。より具体的には、ＥＣＵ８０は、アクセル開度センサ９２からの出力信号に基づいてアクセル開度を求め、そのアクセル開度が例えば２０％開度以上であり、かつ、それのアクセル開度開き速度が、予め設定されてＲＯＭ等の記憶装置に記憶されている基準速度である上記所定速度を超えたとき、加速と判断する。なお、異なる値や基準等を用いてステップＳ３０７での判定が行われてよい。ステップＳ３０７で肯定判定されると、次いでステップＳ３０９での判定が行われる。なお、ステップＳ３０７で否定判定されると、当該ルーチンは終了する。
【００４９】
ステップＳ３０９では、蓄圧容器６４内の圧力が所定圧以上か否かが判定される。この所定圧とは、ターボチャージャ４６の作動アシストを行うのに最低限必要とされる排気量に相当する圧力のことであり、予め実験により求められてＲＯＭに記憶されている。そして、ステップＳ３０９で否定判定されると、該ルーチンは終了する。
【００５０】
他方、ステップＳ３０９で肯定判定されると、次ぐステップＳ３１１でターボチャージャ４６の作動アシスト条件が満たされているとしてアシストフラグが「１」にされる。そして次ぐステップＳ３１３で流量調節弁６６が開弁するように、アクチュエータ６８へ作動信号が出力される（流量調節弁６６が開弁制御される）。このようにして、ターボチャージャ４６の作動アシストが開始される。
【００５１】
流量調節弁６６が開弁することで、蓄圧容器６４内の排気がタービンホイール３６上流側の排気通路Ｋに供給される。この蓄圧容器６４内からの排気の供給によりタービン回転速度の上昇が促される。したがって、ターボラグを低減することが可能になる。なお、蓄圧容器６４内の排気中の酸素成分が多い場合、このような蓄圧容器６４内からの排気の供給により気筒１４からの排気中の未燃燃料の燃焼が促される。それ故、タービンホイール３６にさらに高い圧力を有すると共に高い膨張エネルギーを有する排気を供給することが可能になる。したがって、タービンホイール３６の回転速度を急激に上昇させることが可能になり、ターボラグをより確実に低減することが可能になる。
【００５２】
他方、次回以降のルーチンでは、回収フラグが「０」であり、かつ、アシストフラグが「１」であるので、上記ステップＳ３０１およびステップＳ３０３でそれぞれ肯定判定される。次ぐステップＳ３１５では、上記ステップＳ３０５と同様に、機関回転速度が所定回転速度以下か否かが判定される。
【００５３】
そして、ステップＳ３１５で肯定判定されると、次ぐステップＳ３１７で、アシスト時間が経過していないか否かが判定される。ここで、判定対象となる時間は、流量調節弁６６が開かれて管路６２が開通したときからの経過時間である。ここではＥＣＵ８０は、内蔵するタイマ手段で、ステップＳ３１１に至ったときからの時間を計測し、この時間を判定対象の時間と擬制して採用する。また、判定基準となるアシスト時間は、予め実験により求められて設定された所定時間であり、ここでは変数ではなく固定値とされて、ＲＯＭ等の記憶装置に記憶されている。ただし、ステップＳ３１７での判定に用いられるアシスト時間は可変とされてもよく、加速要求があったときの機関運転状態や、タービンホイール３６上流側の排気通路Ｋの圧力などに基づいて定められ得る。
【００５４】
ステップＳ３１７でアシスト時間が経過していないとして肯定判定されると、次ぐステップＳ３１９で、上記ステップＳ３０９と同様に、蓄圧容器６４内の圧力が上記所定圧以上か否かが判定される。そして、ここで肯定判定されると、当該ルーチンは終了する。
【００５５】
上記ステップＳ３１５から上記ステップＳ３１９のいずれかで否定判定されることで、ターボチャージャ４６の作動アシストを終了するための制御が行われる。ステップＳ３１５からステップＳ３１９のいずれかで否定判定されると、ステップＳ３２１で流量調節弁６６が閉弁するようにアクチュエータ６８へ作動信号が出力される。そして、次ぐステップＳ３２３でアシストフラグが「０」にされる。これにより、該ルーチンは終了する。なお、これにより、タイマ手段はリセットされる。
【００５６】
ただし、一旦、ターボチャージャ４６の作動アシストが開始された後、それを終了するか否かの判定には、上記ステップＳ３１５からステップＳ３１９の判定の全てあるいはいずれかの他、さらに、加速（要求）が継続されているか否かの判定が加えられてもよい。加速が継続されていないときには、もはやターボチャージャ４６の作動アシストを行う必要はないからである。具体的には、アクセル開度が加速要求有りと判定されたときのアクセル開度から所定量分閉じ側に変化したり、あるいはアクセル開度開き速度が負になってその大きさが所定量以上になったりしたとき、加速が継続されていないとして、作動アシストを終了するための上記制御（ステップＳ３２１およびステップＳ３２３）が行われ得る。
【００５７】
このようにターボチャージャ４６の作動アシストを行うことで、図４に実線αで示すように、タービン３８上流側の排気通路Ｊの圧力を迅速に高めて、ターボチャージャ４６の過渡応答性を向上させ、速やかに目標過給圧まで吸気通路１６の圧力を高めることができる。なお、図４のグラフは、タービン３８上流側の排気通路Ｊの圧力の時間に対する変化例を概念的に表したものである。実線の線αは、時刻ｔ１で加速が開始されて流量調節弁６６が開弁されてターボチャージャ４６の作動アシストが開始されて時刻ｔ２までその作動アシストが行われると共に複数のベーン５０を上記の如く制御した際の、排気通路Ｊの圧力変化を表している。これに重ねて表された線βは、上で説明したターボチャージャ４６の作動アシストを行わずに、ターボチャージャ４６の自然な立ち上がりにまかせた場合の、排気通路Ｊの圧力変化例を概念的に表している。図４の線αと線βとを比較することで明らかなように、その作動アシストにより、時間ｔ１−ｔ３のタイムラグを低減してターボチャージャ４６の過渡応答性を改善し、内燃機関１０に対する要求負荷増大に迅速に対処することが可能になる。
【００５８】
ところで、このとき、目標過給圧に実際の過給圧を一致させるように、あるいは、目標吸入空気量に実際の吸入空気量を一致させるように、上記の如く複数のベーン５０の角度が制御される。例えば、ターボチャージャ４６の負荷が高くなったとき、複数のベーン５０の開度を制御することで、排気通路Ｊの圧力を過度に上昇させないように、排気通路の流路断面積が拡げられる。
【００５９】
そこで、ここでは、タービン３８による排気エネルギー回収に実質的に用いられない過度の圧力を、蓄圧容器６４内に回収する。このような内燃機関の負荷が高いときの排気の回収に関して、図５のフローチャートにしたがって説明する。ただし、図５のフローチャートは、所定時間毎、例えばおよそ８ｍｓ毎に繰り返されるものである。
【００６０】
ただし、以下で図５に基づいて説明される制御は、内燃機関で混合気の燃焼によりある程度の出力を生み出しているときすなわち積極的に動力を発生しているときに、内燃機関の出力を実質的に変えないようにしつつタービン３６上流側の排気通路Ｊの圧力上昇を促進させて、排気通路Ｊの圧力が蓄圧容器６４内の圧力以上になったときに、流量調節弁６６を介して、排気通路Ｊから蓄圧容器６４へ排気すなわちこの排気の有する圧力を回収することを具体化した例である。例えば、こうして蓄圧容器６４内に回収される排気の有する圧力は、図４の線αを時刻ｔ４時点から延出させた線γで囲まれる部分の圧力であり、その量は図４の面積Ｓに相当する。
【００６１】
なお、本第１実施形態では、以下の説明から明らかなように、タービン３８上流側の排気通路Ｊの圧力上昇は、気筒１４内への吸気の流入を妨げるべくスロットル弁２６の開度を制御することに関連して作動される複数のベーン５０により促される。より具体的には、スロットル弁２６の開度をそれまでの通常時の開度（通常開度）よりも閉じ側に制御することで、スロットル弁２６下流側の吸気通路の目標過給圧と、その吸気通路の実際の圧力すなわち実際の過給圧との差を大きくさせるようにして、より過給圧を向上させようとターボチャージャ４６の出力を高めさせるようにすることで、ここでは排気通路Ｊの圧力上昇を促す。換言すると、複数のベーン５０を閉じ側に制御することで排気通路Ｊの圧力上昇を促すが、これにより過給圧が過度に高くならないように、スロットル弁２６が閉じ側に制御される。
【００６２】
まず、ステップＳ５０１では、第２回収フラグが「１」、すなわちＯＮであるか否かが判定される。ここで、第２回収フラグが「１」ということは、内燃機関１０で積極的に動力を発生しているときに排気回収を行うための排気回収の第２所定条件が満たされていることを表す。これに対してそれが「０」ということは、その第２所定条件が満たされていないことを表す。初期状態では同第２回収フラグはリセットされているためここでは否定判定される。
【００６３】
ステップＳ５０１で否定判定されると、次ぐステップＳ５０３で、蓄圧容器６４内の圧力（図５では容器内圧）が、上記ステップＳ２０５での上限圧よりも低い圧力であって、所定圧である予め決められてＲＯＭに記憶されている下限圧以下か否かが判定される。この下限圧は、蓄圧容器６４内への排気回収の必要があるかどうかを判断可能なように予め実験により定められ得る。なお、この下限圧は、コンプレッサ４４でのサージング制限とターボチャージャ４６の過回転制限とを考慮して定められるとよい。蓄圧容器６４内の圧力は圧力センサ１００からの出力信号に基づいて求められる。ただし、ここでは、下限圧を判定の基準圧として用いるが、他の圧力値、例えば上記ステップＳ２０５での上限圧がステップＳ５０３での判定の基準圧として用いられてもよい。
【００６４】
そして、ステップＳ５０３で肯定判定されると、次ぐステップＳ５０５でスロットル弁２６下流側の吸気通路の圧力である過給圧が所定圧である必要最大過給圧を超えているか否かが判定される。この判定は、内燃機関１０の負荷が高いか否か、ここでは特にターボチャージャ４６の負荷が所定負荷よりも高いか否かの判定の具体例である。なお、この判定は、要求負荷判定手段での判定に含まれる。必要最大過給圧は、図６に表したマップ化されたデータに基づいて求められる。図６は、機関回転速度に対して最大過給圧を表したグラフである。その時々で、クランクポジションセンサ９６を用いて求められた機関回転速度で図６に表した如きマップ化されたデータを検索することで必要最大過給圧が求められる。そして圧力センサ８８からの出力信号に基づいて求められた過給圧と、その必要最大過給圧とを比較することで、ステップＳ５０５での判定が行われる。
【００６５】
ステップＳ５０５で肯定判定されると、排気回収の第２所定条件が満たされているとして、ステップＳ５０７で第２回収フラグが「１」にされる。そして、ステップＳ５０９で、スロットル弁２６の開度の制御上目標とされる開度（目標スロットル開度）として、上記の如く機関状態等に基づいて設定されるベースとなる開度（上記通常開度に対応）よりも閉じ側の所定開度（閉補正スロットル開度）が設定される。そして、その閉補正スロットル開度にスロットル弁２６の開度が一致するようにアクチュエータ２４に作動信号が出力される。このような制御は、第２回収フラグが「１」にされている間、行われる。
【００６６】
これにより、閉じ側に補正されるスロットル弁２６の開度の補正量すなわちオフセット開度は、図７に表したマップ化されたデータに基づいて求められる。オフセット開度は、その時々の機関回転速度で図７に表した如きマップ化されたデータを検索することで求められる。図７は、スロットル弁２６のオフセット開度と機関回転速度との関係を表したグラフである。ただし、図７のグラフでは、コンプレッサ４４でのサージング制限とターボチャージャ４６の過回転制限から、低回転速度域と高回転速度域でのオフセット開度が「０」にされている。
【００６７】
このようにスロットル弁２６の開度が閉じ側にオフセットされることで、通常時よりも吸気が絞られるようになり、つまり気筒１４へ至るように吸気通路１６を流れる吸気の流れが妨げられるようになり、スロットル弁２６下流側の吸気通路の圧力が低下するようになる。この状態のままでは目標過給圧に実際の過給圧を一致させることができなくなってしまうので、よりその過給圧を高めようとターボチャージャ４６の作動が助長される。
【００６８】
このようにスロットル弁２６の開度が通常開度から閉じ側の開度にオフセットされている間、より過給圧を高めようとターボチャージャ４６の作動を助長させるように、具体的にはよりタービン３８の回転速度を高めるように、複数のベーン５０の開度が通常時（排気回収を行わないとき）のそれまでの開度よりも閉じ側の開度に制御される。この結果、タービンホイール３６への排気の流れが制御されるので、タービン３８の回転速度の上昇が促される。そして、タービン３８の回転速度の上昇に伴って、コンプレッサ４４の過給能が向上するので、過給圧を目標過給圧にまで高めることが可能になる。こうして、スロットル弁２６の開度を目標過給圧と対応関係にあるスロットル開度と上記のように異ならせても、スロットル弁２６下流側の吸気通路の圧力を目標過給圧に一致させることが可能になる。
【００６９】
また、上記のようにタービン３８の回転速度が上昇するように複数のベーン５０の開度が閉じ側に制御されるので、排気通路Ｊに至った排気の流れが複数のベーン５０で妨げられるようになり、排気通路Ｊの圧力を高めることが可能になる。故に、タービン３８上流側の排気通路Ｊの圧力を高めて、後述するようにして排気を蓄圧容器６４内へ回収することが可能になる。なお、このときの複数のベーン５０の開度は、ベーン５０の通常時の開度（通常開度）よりも所定量分閉じ側の開度である。ただし、この所定量はエアフローメーター８２からの出力信号に基づいて求められる吸入空気量および／または圧力センサ８８からの出力信号に基づいて求められる過給圧に基づいてその都度可変とされ得る。この所定量は、固定値とされてもよい。
【００７０】
次回以降のルーチンのステップＳ５０１では第２回収フラグが「１」であるので肯定判定され、次のステップＳ５１１では加速中か否かが判定される。これは、ターボチャージャ４６の負荷が所定負荷よりも高いか否かを判断することに含まれる。具体的には、アクセル開度が所定開度以上であることなどにより加速要求が継続されているか否かの判定が行われる。なお、このような判定の代わりに、上記ステップＳ５０５での判定が行われてもよい。
【００７１】
ステップＳ５１３で肯定判定されると、次ぐステップＳ５１３で蓄圧容器６４内の圧力が上記ステップＳ２１３での上限圧以下か否かが判定される。なお、ここで判定基準となる圧力値は、この上限圧に限定されず、他の圧力値であってもよい。
【００７２】
なお、ステップＳ５１１、Ｓ５１３での判定が行われるのは、ステップＳ５０７で第２回収フラグが「１」にされた後、排気回収の終了時期を判断するためである。
【００７３】
さてステップＳ５１３で肯定判定されると次ぐステップＳ５１５で、図２のステップＳ２１５と同様の理由から、同様の判定が行われる。ステップＳ５１５での判定結果に応じて、上記図２のステップＳ２１７、Ｓ２１９にそれぞれ対応するステップＳ５１７、Ｓ５１９のいずれかのステップが行われる。蓄圧容器６４内の圧力が排気通路Ｊの圧力以下であるのでステップＳ５１５で肯定判定されて、ステップＳ５１９で流量調節弁６６が開かれることで、排気が蓄圧容器６４内に回収されるようになる。この排気回収は、上記ステップＳ５１１あるいはステップＳ５１３で否定判定されない限りは概ね続けて行われる。
【００７４】
排気回収中に、ステップＳ５１１あるいはステップＳ５１３のいずれかで否定判定されると、排気回収を終了するための制御が行われる。それらのいずれかで否定判定されると次ぐステップＳ５２１で、目標スロットル開度としてベースとなる開度が設定されるようになり、スロットル弁２６の開度が上記の如くしてベースとなる開度すなわち通常開度に制御されるようになる。また、流量調節弁６６が閉弁するように、アクチュエータ６８へ作動信号が出力される。そして、次ぐステップＳ５２３で第２回収フラグが「０」にされて、該ルーチンは終了する。この結果、内燃機関１０は排気回収を行わない通常の制御状態に復帰される。
【００７５】
以上、説明したように、混合気の燃焼によりある程度の出力を生み出しているとき、特にターボチャージャ４６の負荷が高いときに、気筒１４内への吸気の流入を妨げるべくスロットル弁２６を閉じ側に制御することで、複数のベーン５０の開度が閉じ側に制御される。したがって、タービン３８上流側の排気通路Ｊの圧力を高めることが可能になり、蓄圧容器６４内に排気を回収することが可能になる。故に、例えば、ターボチャージャ４６に対して蓄圧容器６４内の排気を使用した後、蓄圧容器６４内に排気を回収充填することができるので（図４参照）、蓄圧容器６４内のガスの使用機会を増やすことが可能になる。つまり、複数のベーン５０をより閉じ側に駆動可能である場合には、スロットル弁２６を閉じ側に制御することで、複数のベーン５０を閉じ側に制御して、タービン３８上流側の排気通路Ｊの圧力を高めることが可能になり、蓄圧容器６４内に排気を回収することが可能になる。
【００７６】
なお、ステップＳ５０５での判定基準は、必要最大過給圧でなくてもよい。内燃機関の負荷が所定負荷よりも高いことを判定可能にする他の基準が用いられてもよく、また、その所定負荷は種々の負荷であり得る。また、上記ステップＳ５０５では、コンプレッサ４４下流側の吸気通路の圧力に基づいて判定がなされたが、吸入空気量に基づいて判定が行われてもよい。吸入空気量で判定が行われる場合、判定基準として必要最大吸入空気量や種々の吸入空気量を用いることができる。なお、必要最大吸入空気量は、不図示のマップ化されたデータを機関回転速度で検索することでその都度求められるとよい。
【００７７】
なお、上記第１実施形態では、図５でのフローチャートに基づく排気回収制御において、目標過給圧に実際の過給圧つまりスロットル弁２６下流側の吸気圧を一致させるように、ＶＮ開度を調整した。しかしながら、上記説明から理解可能なように、目標吸入空気量に実際の吸入空気量、エアフローメーター８２を用いて求められる吸入空気量を一致させるように、ＶＮ開度が調整されてもよい。
【００７８】
なお、上記第１実施形態では、ターボチャージャ４６の負荷が高いとき以外の、燃料カット中にも図２のフローチャートに基づいて排気を蓄圧容器６４内に回収した。しかしながら、このような燃料カット中の排気回収は行われなくてもよい。この場合には、排気絞り弁７０を省略することができる。
【００７９】
なお、上記第１実施形態では、ターボチャージャ４６は可変ノズルターボチャージャであったが、これ以外の形式のターボチャージャであってもよい。例えば、ターボチャージャ４６を、ウエストゲート弁を備えたターボチャージャとしてもよい。この場合について第２実施形態として以下説明する。
【００８０】
本第２実施形態の内燃機関システムは、上記第１実施形態のそれと、ターボチャージャ４６に複数のベーン５０が設けられる代わりに、タービンホイール３６上流側の排気通路Ｋとタービンホイール３６下流側の排気通路とをつなぐようにタービンホイール３６を迂回するバイパス通路にウエストゲート弁が設けられていて、そのウエストゲート弁の駆動用にＥＣＵ８０により制御されるアクチュエータがある点を除いて、概ね同じである。それ故、ここでは、第２実施形態の内燃機関システムの図示を省略し、上記第１実施形態で説明した構成要素と同様の構成要素に同じ符号を付して、それら構成要素の説明を省略する。ただし、本第２実施形態では、排気流制御手段は、ウエストゲート弁と、このウエストゲート弁制御用のアクチュエータおよびＥＣＵ８０の一部を含むウエストゲート弁制御手段とを含んで構成される。
【００８１】
なお、本第２実施形態でも、上記第１実施形態と同様に、図２、５のフローチャートに基づく排気回収制御が行われる。また、同様に、図３のフローチャートに基づく排気利用制御が行われる。本第２実施形態の、内燃機関１０で積極的に動力を発生しているときの排気回収制御は、図５のフローチャートに基づいて行われるが、目標スロットル開度として閉補正スロットル開度が設定されたときに目標過給圧を実現するように制御される対象が上記ウエストゲート弁である点で上記第１実施形態のそれと相違する。この点に関することのみ以下説明する。ただし、本第２実施形態も、上記第１実施形態と同様の効果を奏し、かつ、上記第１実施形態に対するのと同様の変更が許容される。
【００８２】
ターボチャージャ４６のタービンホイール３６を迂回するように、タービンホイール３６上流側の排気通路と、タービンホイール３６下流側かつ触媒コンバータ３４上流側の排気通路とをつなぐバイパス通路に、ウエストゲート弁が設けられている。そのウエストゲート弁は、図５のフローチャートに基づく排気回収を行わないとき、通常時は、ＥＣＵ８０により作動されるアクチュエータにより、必要量以外の排気がタービン３８に供給されないように制御される。具体的には、過給圧が所定圧力を超えたときに、あるいは、所定流量を吸入空気量が超えたときに、それまで閉弁状態にあったウエストゲート弁は開かれる。すなわち、ウエストゲート弁は、過給圧が必要最大過給圧を超えたとき、通常は、開かれる。
【００８３】
これに対して、蓄圧容器６４内に排気回収可能なほど余裕があり（上記ステップＳ５０３で肯定判定）、かつ、過給圧が必要最大過給圧を超えたとき（上記ステップＳ５０５で肯定判定）、上記ウエストゲート弁は、そのように通常時は開いている開度（通常開度）よりも閉じ側の所定開度である閉補正開度にまで閉じられる。こうすることで、スロットル弁２６がある程度の開度である閉補正スロットル開度にまで閉じられても（上記ステップＳ５０９参照）、ターボチャージャ４６の作動が助長されて目標過給圧を達成することが可能になる。これに加えて、ウエストゲート弁が通常開度よりも閉じ側の開度に制御されることで、排気通路Ｊの圧力を十分に高めることが可能になる。したがって、上記のように、蓄圧容器６４内へ排気を回収することが可能になる。
【００８４】
具体的には、第２回収フラグが「１」にされているのでスロットル開度が閉補正スロットル開度にされている間、ウエストゲート弁の開度が通常開度から閉じ側に補正される分の所定開度すなわちオフセット開度は、図８に表した如きマップ化されたデータに基づいてその都度設定されるとよい。この図８を、機関回転速度に基づいて検索することでウエストゲート弁のオフセット開度が求められる。なお、オフセット開度と機関回転速度との関係を表したマップ化された図８のデータは、コンプレッサ４４でのサージング制限とターボチャージャ４６の過回転制限とを考慮して定められている。
【００８５】
次に、本発明の第３実施形態を説明する。本第３実施形態が適用された車両の内燃機関システムは、ターボチャージャの点で、上記第１実施形態の内燃機関システムとは相違する。しかしながら、これ以外の点では、両実施形態の内燃機関システムは概ね同じであるので、以下では、その構成上の相違点を説明すると共に、この構成上の相違により生じる制御上の相違点を説明する。なお、以下では、上で既に説明した構成要素と概ね同じ構成要素には同じ符号を付して、それらの説明を省略する。ただし、本第３実施形態も、上記第１、２実施形態と同様の効果を奏し、かつ、上記第１、２実施形態に対するのと同様の変更が許容される。
【００８６】
本第３実施形態のターボチャージャ４６は、一部の構成要素を省いた内燃機関システムの構成要素間の関係を模式的に表した図９から明らかなように、多段式ターボチャージャになっている。ここでは、多段式ターボチャージャは、２つのターボチャージャ、すなわち低圧段ターボチャージャ４６Ａと、高圧段ターボチャージャ４６Ｂとから構成されている。しかし、３つ以上のターボチャージャが含まれることを本発明は許容する。
【００８７】
エアクリーナ２２とインタークーラ４８との間の吸気通路には、低圧段ターボチャージャ４６Ａのコンプレッサ４４Ａと、これよりも下流側の吸気通路に位置付けられた高圧段ターボチャージャ４６Ｂのコンプレッサ４４Ｂとが設けられている。そして、このコンプレッサ４４Ｂのコンプレッサホイールを迂回するように設けられたバイパス通路にコンプレッサバイパス弁４４Ｂｖが設けられている。コンプレッサバイパス弁４４ＢｖはＥＣＵ８０により制御されるアクチュエータ４４Ｂａによって駆動される。
【００８８】
他方、機関本体１０ａと触媒コンバータ３４との間の排気通路には、低圧段ターボチャージャ４６Ａのタービン３８Ａと、これよりも上流側の排気通路に位置付けられた高圧段ターボチャージャ４６Ｂのタービン３８Ｂとが設けられている。そして、このタービン３８Ｂのタービンホイールを迂回するように設けられたバイパス通路にタービンバイパス弁３８Ｂｖが設けられている。タービンバイパス弁３８ＢｖはＥＣＵ８０により制御されるアクチュエータ３８Ｂａによって駆動される。なお、コンプレッサ４４Ａとタービン３８Ａとは回転軸４０Ａを介して同軸で連結され、コンプレッサ４４Ｂとタービン３８Ｂとは回転軸４０Ｂを介して同軸で連結されている。
【００８９】
そして、蓄圧容器６４は、本第３実施形態でも排気通路Ｊに連通するようにされている。ただし、本第３実施形態では、排気通路Ｊは、高圧段ターボチャージャ４６Ｂのタービン３８Ｂ上流側の排気通路である。
【００９０】
低圧段ターボチャージャ４６Ａによる過給のみで足りるとき、通常、コンプレッサバイパス弁４４Ｂｖもタービンバイパス弁３８Ｂｖも開けられている。そして、低圧段ターボチャージャ４６Ａによる過給のみでは不十分なとき、すなわちそれによる過給圧をより高めるべく高圧段ターボチャージャ４６Ｂによる過給をも必要とするとき、通常、コンプレッサバイパス弁４４Ｂｖは閉じられ、タービンバイパス弁３８Ｂｖも閉じられる。これに対して、ターボチャージャ４６の負荷が高いとき、例えば低圧段および高圧段ターボチャージャ４６Ａ、４６Ｂによる過給圧が必要最大過給圧を超えたとき、通常、コンプレッサバイパス弁４４Ｂｖもタービンバイパス弁３８Ｂｖも開けられる。
【００９１】
他方、本第３実施形態でも、上記第１実施形態と同様に、図２、５のフローチャートに基づく排気回収制御が行われる。また、同様に、図３のフローチャートに基づく排気利用制御が行われる。本第３実施形態の、内燃機関１０の負荷が高いときの排気回収制御は、図５のフローチャートに基づいて行われるが、目標スロットル開度として閉補正スロットル開度が設定されたときに目標過給圧を実現するように制御される対象がコンプレッサバイパス弁４４Ｂｖおよび／またはタービンバイパス弁３８Ｂｖである点で上記第１実施形態のそれと相違する。この点に関することのみ以下説明する。なお、本第３実施形態では、排気流制御手段は、タービンバイパス弁３８Ｂｖと、アクチュエータ３８ＢａおよびＥＣＵ８０の一部を含む制御手段とを含んで構成される。
【００９２】
蓄圧容器６４内に排気回収可能なほど余裕があり（上記ステップＳ５０３で肯定判定）、かつ、過給圧が必要最大過給圧を超えたとき（上記ステップＳ５０５で肯定判定）、上記コンプレッサバイパス弁４４Ｂｖおよび／またはタービンバイパス弁３８Ｂｖは、そのように通常時は開いている開度（通常開度）よりも閉じ側の所定開度である閉補正開度にまで閉じられる。こうすることで、スロットル弁２６がある程度の開度である閉補正スロットル開度にまで閉じられても（上記ステップＳ５０９参照）、ターボチャージャ４６Ｂの作動が助長されて目標過給圧を達成することが可能になる。そして、これにより、排気通路Ｊの圧力を十分に高めることが可能になる。したがって、上記のように、蓄圧容器６４内へ排気を回収することが可能になる。
【００９３】
具体的には、第２回収フラグが「１」にされているのでスロットル開度が閉補正スロットル開度にされている間、タービンバイパス弁３８Ｂｖの開度が通常開度から閉じ側に補正される分の所定開度すなわちオフセット開度分は、縦軸をタービンバイパス弁３８Ｂｖのオフセット開度に置き換えた図８に表した如きマップ化されたデータに基づいてその都度設定されるとよい。このデータを、機関回転速度に基づいて検索することでタービンバイパス弁３８Ｂｖの開度のオフセット開度が求められる。なお、そのデータは、コンプレッサでのサージング制限とターボチャージャの過回転制限とを考慮して定められる。
【００９４】
次に、本発明の第４実施形態について説明する。本第４実施形態は、上記第１〜第３実施形態の各々と、第２回収フラグが「１」にされている間、閉じ側に補正される対象がスロットル弁２６ではなく、スワールコントロール弁（ＳＣＶ）である点で相違する。しかしながら、ＳＣＶが各気筒１４の吸気通路に設けられている以外、本第４実施形態が適用された車両の内燃機関システムは、上記第１〜第３実施形態で説明されたのと概ね同じである。そこで、以下、その構成上の相違点およびこれに基づく制御上の相違点に関してのみ説明する。なお、以下では、上で既に説明した構成要素と概ね同じ構成要素には同じ符号を付して、それらの説明を省略する。ただし、本第４実施形態も、上記第１、２、３実施形態と同様の効果を奏し、かつ、上記第１、２、３実施形態に対するのと同様の変更が許容される。ただし、本第４実施形態では、吸気流制御手段は、ＳＣＶと、ＳＣＶ制御用のアクチュエータおよびＥＣＵ８０の一部を含むＳＣＶ制御手段とを含んで構成される。
【００９５】
本第４実施形態が適用された車両の内燃機関システムでは、図示しないが、各気筒１４に対して２つに隔てられた吸気通路が連通されていて、それらの一方にＳＣＶが設けられている。なお、ここでは、各気筒１４に対する吸気マニホール１８によって区画形成された吸気通路は２つに分けられていて、その一方を開閉可能にＳＣＶは吸気マニホールド１８に設けられている。ＳＣＶは、通常は機関状態に基づいて設定された開度（通常開度）になるように、ＥＣＵ８０により制御されるアクチュエータによって駆動される。具体的には、機関回転速度が低回転域に属するときには気筒１４内のスワールを強めるようにＳＣＶは閉じられる。これに対して、機関回転速度が高回転域に属するときにはＳＣＶは開けられる。
【００９６】
そして、蓄圧容器６４内に排気回収可能なほど余裕があり（上記ステップＳ５０３で肯定判定）、かつ、吸入空気量が最大空気量を超えたとき（上記ステップＳ５０５に置き換えられるステップで肯定判定）、ＳＣＶの開度の目標開度（目標ＳＣＶ開度）として、上記通常時の開度（通常開度）よりも閉じ側の所定開度（閉補正ＳＣＶ開度）が設定される（上記ステップＳ５０９に相当）。そして、その閉補正ＳＣＶ開度にＳＣＶの開度が一致するようにアクチュエータに作動信号が出力される。このような制御は、第２回収フラグが「１」にされている間、行われる。
【００９７】
このときのＳＣＶの開度の通常開度からの閉じ側への補正量すなわちオフセット開度は、縦軸をＳＣＶのオフセット開度に置き換えた図７に表した如きマップ化されたデータに基づいて求められる。つまり、ＳＣＶのオフセット開度は、その時々の機関回転速度でそのデータを検索することで求められる。なお、当該データは、コンプレッサ４４でのサージング制限とターボチャージャ４６の過回転制限を考慮して定められる。
【００９８】
こうすることで、吸気通路１６から気筒１４内への吸気の流れが妨げられるので、目標吸入空気量を達成するように、ターボチャージャ４６の作動が促される。このターボチャージャ４６の作動の促進は、上記第１から第３実施形態に関して説明したように、ターボチャージャ４６の構成に応じて、複数のベーン５０の開度を閉じ側に制御したり、ウエストゲート弁の開度を閉じ側に制御したり、あるいはタービンバイパス弁３８Ｂｖの開度を閉じ側に制御したりすることなどで、達成され得る。
【００９９】
次に、本発明の第５実施形態について説明する。本第５実施形態は、上記第１〜第３実施形態の各々と、第２回収フラグが「１」にされている間、吸気通路１６を流れる吸気の流れを妨げるように働く対象が吸気弁である点で相違する。しかしながら、本第５実施形態が適用された車両の内燃機関システムは、上記第１〜第３実施形態で説明されたのと概ね同じであるので、以下、それに基づく制御上の相違点に関してのみ説明する。なお、以下では、上で既に説明した構成要素と概ね同じ構成要素には同じ符号を付して、それらの説明を省略する。ただし、本第５実施形態も、上記第１〜４実施形態と同様の効果を奏し、かつ、上記第１〜４実施形態に対するのと同様の変更が許容される。なお、本第５実施形態では、吸気流制御手段は、吸気弁と、ＥＣＵ８０の一部を含む吸気弁駆動用の可変動弁機構とを含んで構成される。
【０１００】
本第５実施形態が適用された車両の内燃機関システムでは、吸気弁の閉じタイミングは、通常時、下死点過ぎの時期（通常閉時期）、例えば下死点後３０°〜４５°に設定されている。
【０１０１】
そして、蓄圧容器６４内に排気回収可能なほど余裕があり（上記ステップＳ５０３で肯定判定）、かつ、吸入空気量が最大空気量を超えたとき（上記ステップＳ５０５に置き換えられるステップで肯定判定）、吸気弁の閉じタイミングとして、上記通常閉時期よりも遅角側の所定時期（遅角補正時期）が設定される。そして、その遅角補正時期に吸気弁が閉じられるように、動弁機構が制御される。このような制御は、第２回収フラグが「１」にされている間、行われる。
【０１０２】
このときの吸気弁の閉じタイミングの遅角側へのオフセット位相は、縦軸を吸気弁のオフセット位相に置き換えた図７に表した如きマップ化されたデータに基づいて求められる。ただし、そのデータでは、図中上に行く程、遅角量が増すように定められる。吸気弁のオフセッ位相は、その時々の機関回転速度でそのデータを検索することで求められる。なお、当該データは、コンプレッサ４４でのサージング制限とターボチャージャ４６の過回転制限を考慮して定められる。
【０１０３】
こうすることで、吸気通路１６から気筒１４内への吸気の流れすなわち吸入が妨げられるので、目標吸入空気量を達成するように、ターボチャージャ４６の作動が促される。このターボチャージャ４６の作動の促進は、上記第１から第３実施形態に関して説明したように、ターボチャージャ４６の構成に応じて、複数のベーン５０の開度を閉じ側に制御したり、ウエストゲート弁の開度を閉じ側に制御したり、あるいはタービンバイパス弁３８Ｂｖの開度を閉じ側に制御したりすることなどで、達成され得る。
【０１０４】
なお、上記第５実施形態では、排気を蓄圧容器６４内へ回収するとき、吸気弁の閉じタイミングを遅角側へオフセットすることにしたが、例えば、吸気効率を低減するように吸気弁の閉時期が進角側へオフセットされてもよい。その他、本発明では、吸気効率を低減するように、吸気弁の弁タイミングおよびリフト量の少なくとも一方を変えることが許容される。
【０１０５】
次に、本発明に関する参考例を説明する。上記第１〜第５実施形態では、吸気流制御手段により気筒１４内への吸気の流れを妨げて、それによりターボチャージャ４６の作動を促進して、排気回収を可能にした。しかし、これ以外の手段によっても、ターボチャージャ４６の作動を促進して、排気回収を可能にすることができる。その手段としては、吸気通路の吸気の流れを制御する目標値を可変とする吸気流目標値可変手段がある。
【０１０６】
例えば、吸気流目標値可変手段は、上記第１実施形態でスロットル開度を目標スロットル開度である閉補正スロットル開度にするところ、それに代えて、目標過給圧を高くしたり、目標吸入空気量を多くしたりする。目標過給圧を高くする場合について、以下説明する。ただし、この参考例の場合の車両の内燃機関システムの構成は上記第１実施形態のそれと概ね同じである。そして、この参考例の場合にも、図２、図３のフローチャートに基づく制御が上記第１実施形態の場合と同様に行われ得る。しかし、図５のフローチャートに基づく排気回収制御の点でこの参考例と上記第１実施形態とは相違する。そこで、以下では、上で説明した構成要素と同様の構成要素に同じ符号を付してそれらの説明を省略しつつ、その相違点に関することのみ説明する。
【０１０７】
この参考例では、蓄圧容器６４内に排気回収可能なほど余裕があり（上記ステップＳ５０３で肯定判定）、かつ、過給圧が必要最大過給圧を超えたとき（上記ステップＳ５０５で肯定判定）、ステップＳ５０５で用いられた必要最大過給圧を含む予め設定されているベースとなる過給圧（ベース過給圧）が所定量分高くされる。この所定量は、目標過給圧のオフセット圧力と機関回転速度との関係を表した図１０のマップ化されたデータを機関回転速度で検索することで適宜に求められる。そして、この所定量がベース過給圧に加算されて、増補正過給圧が求められて、それが目標過給圧として設定される。
【０１０８】
増補正過給圧が目標過給圧として設定されるので、その増大分の過給圧を実現するべく複数のベーン５０が閉じ側に制御されることによりターボチャージャ４６の作動が促進される。したがって、上記のように、タービン３８上流側の排気通路Ｊの圧力が高められて、排気を回収することが可能になる。
【０１０９】
以上、本発明に係る５つの実施形態およびそれらの変形例、加えてその参考例を説明したが、本発明はこれらに限定されない。本発明は、上記第１から第５実施形態およびその変形例、加えてその参考例の相互組み合わせやそれらの部分的な他の組み合わせ等を許容する。
【０１１０】
上記した５つの実施形態およびそれらの変形例では、図５でのフローチャートに基づく排気回収制御において、気筒内への吸気を絞る吸気流制御に対して、目標過給圧に実際のスロットル弁２６下流側の過給圧を一致させるように、あるいは、目標吸入空気量に実際のエアフローメーター８２を用いて求められる吸入空気量を一致させるように、ＶＮ開度やウエストゲート弁の開度等を調整した。しかしながら、目標過給圧に実際の過給圧を一致させると共に目標吸入空気量に実際の吸入空気量を一致させるように、ＶＮ開度やウエストゲート弁の開度等が調整されてもよい。
【０１１１】
また、上記した５つの実施形態では、加速するあるいは加速したときに、タービンホイール上流側の排気通路に蓄圧容器内のガスが供給されたり、排気通路から排気回収が行われたりしたが、このようなガスの利用や回収が行われる時期は加速するときに限られない。内燃機関に対する要求負荷が増加し、あるいは、内燃機関で積極的に動力を発生しているときであれば、それらは行われ得る。内燃機関に対する要求負荷が増加したときには、加速するとき、および、車両が上り坂に面して負荷が上昇した場合などの内燃機関への要求負荷が増加したときが含まれる。なお、本明細書において、「要求負荷」や「負荷」との表現における「負荷」とは、「トルク」や「出力」という概念を含む。また、内燃機関で積極的に動力を発生しているときは、例えば、ＶＮ開度やウエストゲート弁の開度等に、より閉じ側に調整できる余裕があるときであるとよい。
【０１１２】
また、上記５つの実施形態では、種々の形式の弁を用いたが、本発明はこれらに限定されることなく、それ以外の形式の弁がそれらの弁として用いられ得る。例えば、排気絞り弁は、ポペット式弁、シャッタ式弁であり得る。なお、排気絞り弁として、排気ブレーキ用に設けられた弁が用いられてもよい。なお、上記した種々の弁を駆動するアクチュエータは電動モータや負圧式アクチュエータなど種々の形式のアクチュエータであり得る。なお、管路６２が蓄圧容器６４内へのガス回収のためだけに設けられている場合には、そこに設けられる弁は逆止弁であってもよい。
【０１１３】
また、上記５つの実施形態では、蓄圧容器６４を１つ設けることにしたが、それは複数個設けられてもよい。そして蓄圧容器６４を２つ以上複数個設ける場合には、それら蓄圧容器６４は車両に分散して配置され得る。
【０１１４】
なお、上記５つの実施形態では、本発明をディーゼル機関に適用して説明したが、これに限定されず、本発明は、ポート噴射型式のガソリン機関、筒内噴射形式のガソリン機関等の各種の内燃機関に適用可能である。また、用いられる燃料は、軽油やガソリンに限らず、アルコール燃料、ＬＰＧ（液化天然ガス）等でもよい。また、本発明が適用される内燃機関の気筒数などはいくつであってもよい。
【０１１５】
なお、上記５つの実施形態およびその変形例等では本発明をある程度の具体性をもって説明したが、本発明については、特許請求の範囲に記載された発明の精神や範囲から離れることなしに、さまざまな改変や変更が可能であることは理解されなければならない。すなわち、本発明は特許請求の範囲およびその等価物の範囲および趣旨に含まれる修正および変更を包含するものである。
【図面の簡単な説明】
【０１１６】
【図１】第１実施形態が適用された車両の内燃機関システムの概念図である。
【図２】第１実施形態の燃料カット時の排気回収用の制御フローチャートである。
【図３】第１実施形態の排気放出用の制御フローチャートである。
【図４】図３のフローチャートに基づく制御時の排気通路圧力の変化を時間に対して表すと共に図５のフローチャートに基づく制御による排気通路圧力の上昇傾向を重ねて表した模式的なグラフである。
【図５】第１実施形態の、内燃機関の負荷が高いときの排気回収用の制御フローチャートである。
【図６】必要最大過給圧と機関回転速度との関係例を模式的に表したグラフである。
【図７】図５のフローチャートに基づく排気回収用の制御で用いられる、スロットル弁のオフセット開度と機関回転速度との関係を模式的に表したグラフである。
【図８】第２実施形態において、内燃機関の負荷が高いときの排気回収用の制御で用いられる、ウエストゲート弁のオフセット開度と機関回転速度との関係を模式的に表したグラフである。
【図９】第３実施形態が適用された車両の内燃機関システムの一部の構成要素間の関係を模式的に表した図である。
【図１０】本発明の参考例において、内燃機関の負荷が高いときの排気回収用の制御で用いられる、目標過給圧のオフセット圧力と機関回転速度との関係を模式的に表したグラフである。
【符号の説明】
【０１１７】
１０  内燃機関
１０ａ  機関本体
２６  スロットル弁
３６  タービンホイール
３８  タービン
４２  コンプレッサホイール
４４  コンプレッサ
４６  ターボチャージャ
５０  ベーン
６４  蓄圧容器
６６  流量調節弁
７０  排気絞り弁
【図１】
2010043579.tif 000003
【図２】
2010043579.tif 000004
【図３】
2010043579.tif 000005
【図４】
2010043579.tif 000006
【図５】
2010043579.tif 000007
【図６】
2010043579.tif 000008
【図７】
2010043579.tif 000009
【図８】
2010043579.tif 000010
【図９】
2010043579.tif 000011
【図１０】
2010043579.tif 000012